(57)【特許請求の範囲】
【請求項１】
光源を出射したレーザー光を回転駆動しているポリゴンミラーに反射させ、前記ポリゴンミラーで反射させたレーザー光を感光体ドラムの主走査方向に走査させることによって前記感光体ドラム上に静電潜像を形成する画像形成装置であって、
前記光源を駆動するＬＤ駆動回路を有するレーザー光生成手段と、
前記ポリゴンミラーで反射させたレーザー光を前記主走査方向の始端側で受光して主走査同期信号を出力するレーザー光受光手段と、
前記ＬＤ駆動回路に動作電力を供給するＬＤ基準電圧生成回路とを具備し、
前記ＬＤ基準電圧生成回路は、前記主走査同期信号に基づいて前記ＬＤ駆動回路の動作電力を生成し、前記主走査同期信号の出力が停止されると、前記ＬＤ駆動回路への動作電力の生成を停止させ、前記ポリゴンミラーの回転駆動を指示する回転指示信号に基づいて、前記主走査同期信号が出力されるまでの前記ＬＤ駆動回路の動作電力を生成し、前記主走査同期信号が出力された後に、前記主走査同期信号に基づいて前記ＬＤ駆動回路の動作電力を生成し、前記ポリゴンミラーの回転駆動を指示する回転指示信号に基づいてワンショットパルス信号を生成するワンショット回路を備え、前記ワンショットパルス信号によって前記ＬＤ駆動回路の動作電力を生成することを特徴とする画像形成装置。
【請求項２】
光源を出射したレーザー光を回転駆動しているポリゴンミラーに反射させ、前記ポリゴンミラーで反射させたレーザー光を感光体ドラムの主走査方向に走査させることによって前記感光体ドラム上に静電潜像を形成する画像形成装置であって、
前記光源を駆動するＬＤ駆動回路を有するレーザー光生成手段と、
前記ポリゴンミラーで反射させたレーザー光を前記主走査方向の始端側で受光して主走査同期信号を出力するレーザー光受光手段と、
前記ＬＤ駆動回路に動作電力を供給するＬＤ基準電圧生成回路とを具備し、
前記ＬＤ基準電圧生成回路は、前記主走査同期信号に基づいて前記ＬＤ駆動回路の動作電力を生成し、前記主走査同期信号の出力が停止されると、前記ＬＤ駆動回路への動作電力の生成を停止させ、前記ポリゴンミラーの回転駆動を指示する回転指示信号に基づいて、前記主走査同期信号が出力されるまでの前記ＬＤ駆動回路の動作電力を生成し、前記主走査同期信号が出力された後に、前記主走査同期信号に基づいて前記ＬＤ駆動回路の動作電力を生成し、前記ＬＤ基準電圧生成回路は、前記主走査同期信号のパルス幅を拡幅するパルス幅拡幅回路を備え、パルス幅を拡幅した前記主走査同期信号によって前記ＬＤ駆動回路の動作電力を生成することを特徴とする画像形成装置。
【発明の詳細な説明】
【技術分野】
【０００１】
本発明は、電子写真方式を利用した複写機、プリンター、ファクシミリ、それらの複合機等の画像形成装置に係り、特に、光走査装置で感光体を走査露光する画像形成装置に関する。
【背景技術】
【０００２】
電子写真方式を利用した複写機、プリンター、ファクシミリ、それらの複合機等の画像形成装置では、画像形成にあたってまず感光体を帯電させ、光走査装置によって画像データで変調した光で感光体を走査して静電潜像を形成した後、現像によってトナー像を形成して記録媒体に転写させ、定着装置で定着して画像形成を行なっている。光走査装置は、光源とポリゴンミラーとを有し、光源を出射したレーザー光が、回転駆動しているポリゴンミラーに反射して感光体ドラムの主走査方向に走査することによって感光体ドラム上に静電潜像を形成する。
【０００３】
画像形成装置の通常使用においては、感光体ドラムへのダメージを減らすためにポリゴンミラーが回転していないときには、光源を消灯させることが一般的である。また、レーザー光の暴露の観点からソフト異常時にもレーザー光が外部に漏れないように、インターロックスイッチによって光源を消灯させたり（例えば、特許文献１参照）、メカシャッター機構等で光路を塞いだりしている。
【先行技術文献】
【特許文献】
【０００４】
【特許文献１】特開２００１−３５６６５６号公報
【発明の概要】
【発明が解決しようとする課題】
【０００５】
しかしながら、従来技術では、スイッチ素子を用いることで、光源の消灯を行っているが、このスイッチ素子が何らかの要因で機能しなかった場合には、レーザー光が照射されたままの状態になってしまい、感光体ドラムにダメージを与えてしまったり、レーザー光の暴露を引き起こす場合がある。
【０００６】
本発明の目的は、上記問題点を解決し、レーザー光による感光体ドラムへのダメージやレーザー光の暴露の発生を抑制することができる画像形成装置を提供することにある。
【課題を解決するための手段】
【０００７】
本発明の画像形成装置は、光源を出射したレーザー光を回転駆動しているポリゴンミラーに反射させ、前記ポリゴンミラーで反射させたレーザー光を感光体ドラムの主走査方向に走査させることによって前記感光体ドラム上に静電潜像を形成する画像形成装置であって、前記光源を駆動するＬＤ駆動回路を有するレーザー光生成手段と、前記ポリゴンミラーで反射させたレーザー光を前記主走査方向の始端側で受光して主走査同期信号を出力するレーザー光受光手段と、前記ＬＤ駆動回路に動作電力を供給するＬＤ基準電圧生成回路とを具備し、前記ＬＤ基準電圧生成回路は、前記主走査同期信号に基づいて前記ＬＤ駆動回路の動作電力を生成し、前記主走査同期信号の出力が停止されると、前記ＬＤ駆動回路への動作電力の生成を停止させ、前記ポリゴンミラーの回転駆動を指示する回転指示信号に基づいて、前記主走査同期信号が出力されるまでの前記ＬＤ駆動回路の動作電力を生成し、前記主走査同期信号が出力された後に、前記主走査同期信号に基づいて前記ＬＤ駆動回路の動作電力を生成し、前記ポリゴンミラーの回転駆動を指示する回転指示信号に基づいてワンショットパルス信号を生成するワンショット回路を備え、前記ワンショットパルス信号によって前記ＬＤ駆動回路の動作電力を生成することを特徴とする。
また、本発明の画像形成装置は、光源を出射したレーザー光を回転駆動しているポリゴンミラーに反射させ、前記ポリゴンミラーで反射させたレーザー光を感光体ドラムの主走査方向に走査させることによって前記感光体ドラム上に静電潜像を形成する画像形成装置であって、前記光源を駆動するＬＤ駆動回路を有するレーザー光生成手段と、前記ポリゴンミラーで反射させたレーザー光を前記主走査方向の始端側で受光して主走査同期信号を出力するレーザー光受光手段と、前記ＬＤ駆動回路に動作電力を供給するＬＤ基準電圧生成回路とを具備し、前記ＬＤ基準電圧生成回路は、前記主走査同期信号に基づいて前記ＬＤ駆動回路の動作電力を生成し、前記主走査同期信号の出力が停止されると、前記ＬＤ駆動回路への動作電力の生成を停止させ、前記ポリゴンミラーの回転駆動を指示する回転指示信号に基づいて、前記主走査同期信号が出力されるまでの前記ＬＤ駆動回路の動作電力を生成し、前記主走査同期信号が出力された後に、前記主走査同期信号に基づいて前記ＬＤ駆動回路の動作電力を生成し、前記ＬＤ基準電圧生成回路は、前記主走査同期信号のパルス幅を拡幅するパルス幅拡幅回路を備え、パルス幅を拡幅した前記主走査同期信号によって前記ＬＤ駆動回路の動作電力を生成することを特徴とする。
【発明の効果】
【０００８】
本発明によれば、光源を駆動するＬＤ駆動回路の動作電力が、主走査同期信号に基づいて生成されるため、ポリゴンミラーの回転が停止されると、光源を駆動も確実に停止され、レーザー光による感光体ドラムへのダメージやレーザー光の暴露の発生を抑制することができるという効果を奏する。
【図面の簡単な説明】
【０００９】
【図１】本発明に係る画像形成装置の実施の形態の内部構成を示す概略模式断面図である。
【図２】図１に示す光走査装置の構成を説明するための斜視図である。
【図３】図２に示す光走査装置におけるレーザー光の射出を制御する構成を示すブロック図である。
【図４】図３に示すＬＤ基準電圧生成回路の構成を示す回路図である。
【図５】図４の各部の信号波形及び動作波形を示す波形図である。
【発明を実施するための形態】
【００１０】
次に、本発明の実施の形態を、図面を参照して具体的に説明する。
本実施の形態の画像形成装置は、電子写真方式を利用した複写機１であり、図１を参照すると、原稿読取部２と、原稿給送部３と、本体部４とを備えている。原稿給送部３は、原稿読取部２の上部に配設されていると共に、原稿読取部２は、本体部４の上部に配設され、原稿読取部２と本体部４との間には、排紙空間６が形成されている。
【００１１】
原稿読取部２は、スキャナ２１と、プラテンガラス２２と、原稿読取スリット２３とを備える。スキャナ２１は、露光ランプ及びＣＣＤ(Charge Coupled Device)センサー等から構成され、原稿給送部３による原稿の搬送方向に移動可能に構成されている。プラテンガラス２２は、ガラス等の透明部材により構成された原稿台である。原稿読取スリット２３は、原稿給送部３による原稿の搬送方向と直交方向に形成されたスリットを有する。
【００１２】
プラテンガラス２２に載置された原稿を読み取る場合には、スキャナ２１は、プラテンガラス２２に対向する位置に移動され、プラテンガラス２２に載置された原稿を走査しながら原稿を読み取って画像データを取得し、取得した画像データを本体部４に出力する。また、原稿給送部３により搬送された原稿を読み取る場合には、スキャナ２１は、原稿読取スリット２３と対向する位置に移動され、原稿読取スリット２３を介し、原稿給送部３による原稿の搬送動作と同期して原稿を読み取って画像データを取得し、取得した画像データを本体部４に出力する。
【００１３】
原稿給送部３は、原稿載置部３１と、原稿排出部３２と、原稿搬送機構３３とを備えている。原稿載置部３１に載置された原稿は、原稿搬送機構３３によって、１枚ずつ順に繰り出されて原稿読取スリット２３に対向する位置へ搬送され、その後、原稿排出部３２に排出される。なお、原稿給送部３は、可倒式に構成され、原稿給送部３を上方に持ち上げることで、プラテンガラス２２の上面を開放させることができる。
【００１４】
本体部４には、電子写真プロセス部材として、感光体ドラム４１、帯電器４２、光走査装置１０、現像装置４３、転写ローラー４４、クリーニング装置４５が配設されている。転写ローラー４４は、感光体ドラム４１の表面に接触するよう配置され、記録紙Ｐの搬送路４６が、感光体ドラム４１と転写ローラー４４とのニップ部を通って上下方向に延在するよう配設されている。
【００１５】
本体部４の下部には、記録紙Ｐを収納する給紙カセット４７と、給紙カセット４７から記録紙Ｐを１枚ずつ繰り出すピックアップローラー４８とが配設されている。搬送路４６は、ピックアップローラー４８の下流側に接続され、ピックアップローラー４８によって記録紙Ｐを１枚ずつ搬送路４６に繰り出される。搬送路４６の、ピックアップローラー４８よりも下流側には、レジストローラー対４９、転写ローラー４４、定着装置５０、搬送ローラー対５１、排出ローラー対５２の順に配設されている。
【００１６】
複写機１による画像形成は、まず、帯電器４２により感光体ドラム４１の表面を一様に帯電させ、原稿読取部２で読み取った画像データに基づいて、光走査装置１０によって感光体ドラム４１の表面を走査することで静電潜像を形成させる。次に、感光体ドラム４１の表面に形成された静電潜像を現像装置４３によって現像することでトナー像を形成させる。感光体ドラム４１の表面に形成されたトナー像は、給紙カセット４７から繰り出された記録紙Ｐが、感光体ドラム４１と転写ローラー４４とのニップ部を通過する間に記録紙Ｐに転写される。該用紙Ｐに転写されたトナー像は、定着装置５０を通過する間に記録紙Ｐに熱定着される。トナー像が定着された記録紙Ｐは、搬送ローラー対５１及び排出ローラー対５２によって、排紙空間６の排出トレイ６１に排出される。
【００１７】
光走査装置１０は、図２を参照すると、光源１１と、レンズ部１２、１３と、ポリゴンミラー１４と、ｆθレンズ１５、１６と、防塵ガラス１７と、反射鏡１８と、集光レンズ１９と、レーザー光受光手段であるＢＤ（Beam Detect）センサー２０とを備え、これらの光学部品を収納する合成樹脂製のハウジングを備えている。なお、図２に示す光走査装置１０は、遮光用の上部カバーが取り外した状態が示されている。
【００１８】
光源１１は、レーザーダイオードで構成され、画像データをレーザー光に変調して射出する。レンズ部１２、１３は、例えばコリメータレンズやプリズム等により構成されており、入射したレーザー光を平行光に変換する機能を有している。ポリゴンミラー１４は、平面視正六角形の平板状に形成されており、図示しないスキャナモーターにより所定方向に一定速度で回転しながらレンズ部１３からのレーザー光をｆθレンズ１５に向けて偏向する。ｆθレンズ１５、１６は、互いのアーチ部分が対向するようにハウジング内の適所に配設されており、ポリゴンミラー１４で偏向されたレーザー光を感光体ドラム４１の表面上で等速走査させる機能を有している。防塵ガラス１７は、ハウジング内への粉塵等の異物の侵入を防止する異物侵入防止機能を有している。なお、図２に矢印で示すように、防塵ガラス１７からレーザー光が射出される方向を前後方向と称し、レーザー光が射出される方向と直交する方向を左右方向と称す。
【００１９】
反射鏡１８は、図２に示すように、ｆθレンズ１６の右端前部に配設されており、ポリゴンミラー１４で偏向されたのちｆθレンズ１５を通ってｆθレンズ１６の走査開始端（右端）近傍に入射するレーザー光をＢＤセンサー２０に向かって反射するように構成されている。集光レンズ１９は、反射鏡１８とＢＤセンサー２０との間に配設され、反射鏡１８からのレーザー光を集光してＢＤセンサー２０に入射させる。ＢＤセンサー２０は、はフォトセンサーであり、反射鏡１８からのレーザー光を、集光レンズ１９を介して受光し、その受光信号をポリゴンミラー１４のレーザー光走査動作に同期したＢＤ信号（主走査同期信号）として出力する。
【００２０】
図３には、光走査装置１０におけるレーザー光の照射を制御する構成が示されている。
レーザー光生成部７０は、光源１１及び光源１１を駆動するＬＤ駆動回路７１等から構成される。ポリゴンモーター７２は、ポリゴンモーター制御回路７３が生成するクロック信号に基づいてポリゴンミラー１４を回転させる。
【００２１】
制御部７４は、複写機１全体の制御を司るものであり、例えば、ＣＰＵ(Central Processing Unit)、種々のプログラムやその実行に必要なデータ等を予め記憶するＲＯＭ(Read Only Memory)、ワーキングメモリとなるＲＡＭ(Random Access Memory)及びその周辺回路等を備えたマイクロコンピューターによって構成される。
【００２２】
制御部７４は、画像形成に際し、回転指示信号をHiからLowに反転させることで、ポリゴンモーター制御回路７３にポリゴンモーター７２の回転を指示すると共に、レーザー光生成部７０にレーザー光の射出を指示する。
【００２３】
ポリゴンモーター制御回路７３は、回転指示信号がHiレベルからLowレベルに反転すると、予め設定されたクロック信号に基づいてポリゴンモーター７２を駆動してポリゴンミラー１４を回転させる。ポリゴンモーター制御回路７３は、回転指示信号をLowの間はポリゴンミラー１４の回転を継続させ、回転指示信号がLowからHiに反転すると、ポリゴンミラー１４の回転を停止させる。
【００２４】
制御部７４は、ＢＤセンサー２０から出力されるＢＤ信号を基準として、画像データをレーザー光生成部７０に送り、画像データで変調したレーザー光をレーザー光生成部７０から射出させる。ＬＤ駆動回路７１は、ＬＤ基準電圧生成回路８０から供給される出力電圧ＶｏｕｔがＬＤ基準電圧Ｖｃｏｎｔを上回ると、動作を開始し、光源１１に流す電流を閾値電流近くで増減させることで、光源１１から画像データで変調したレーザー光を射出させる。
【００２５】
ＬＤ基準電圧生成回路８０は、制御部７４から出力される回転指示信号と、ＢＤセンサー２０から出力されるＢＤ信号とに基づいて、ＬＤ駆動回路７１に供給するＬＤ基準電圧Ｖｃｏｎｔを生成する。
【００２６】
ＬＤ基準電圧生成回路８０は、図４に示すように、ワンショット回路８１と、パルス幅拡幅回路８２と、オア回路ＯＲ１と、アンプＡＭＰ１と、抵抗Ｒ１、Ｒ２と、コンデンサＣ１とを備えている。ワンショット回路８１の入力端子には、制御部７４からポリゴンモーター制御回路７３に出力される回転指示信号が入力され、ワンショット回路８１の出力端子は、オア回路ＯＲ１の一方の入力端子に接続されている。パルス幅拡幅回路８２の入力端子には、ＢＤセンサー２０から制御部７４に出力されるＢＤ信号が入力され、パルス幅拡幅回路８２の出力端子は、オア回路ＯＲ１の他方の入力端子に接続されている。オア回路ＯＲ１の出力端子は、アンプＡＭＰ１の入力端子に接続されている。直列に接続されて抵抗Ｒ１と抵抗Ｒ２とがアンプＡＭＰ１の出力端子と接地端子との間に接続され、コンデンサＣ１が抵抗Ｒ１と抵抗Ｒ２との接続点と接地端子との間に接続されている。抵抗Ｒ１、Ｒ２及びコンデンサＣ１は、ＦＶ（周波数・電圧変換）回路８３として機能する。そして、抵抗Ｒ１と抵抗Ｒ２との接続点の電圧が出力電圧Ｖｏｕｔとしてレーザー光生成部７０に出力される。
【００２７】
ワンショット回路８１は、図５に示すように、回転指示信号がHiレベルからLowレベルに反転すると、パルス幅Ｔ１（例えば、１００ｍｓ程度）のワンショットパルス信号をオア回路ＯＲ１の一方の入力端子に出力する。これにより、オア回路ＯＲ１のＯＲ出力信号がHiレベルになる。このHiレベルのＯＲ出力信号は、アンプＡＭＰ１によって増幅された後、ＦＶ回路８３を介してＬＤ基準電圧Ｖｃｏｎｔ以上の出力電圧Ｖｏｕｔとして出力される。出力電圧ＶｏｕｔがＬＤ基準電圧Ｖｃｏｎｔ以上となることで、ＬＤ駆動回路７１は、動作を開始し、光源１１からレーザー光が射出される。
【００２８】
光源１１からのレーザー光の射出が開始されると、ポリゴンミラー１４の回転に伴ってＢＤセンサー２０は、反射鏡１８からのレーザー光を、集光レンズ１９を介して受光し始める。これにより、ＢＤ信号の出力が開始される。ＢＤ信号は、図５に示すように、レーザー光の受光時にHiレベルのパルスを出力する信号である。パルス幅拡幅回路８２は、ＢＤ信号におけるHiレベルのパルスをパルス幅Ｔ２に拡幅する回路であり、ＢＤ信号が入力されると、Hiレベルのパルスをパルス幅Ｔ２に拡幅した図５に示すようなＢＤ拡幅信号をオア回路ＯＲ１の他方の入力端子に出力する。このＢＤ拡幅信号は、オア回路ＯＲ１を介してアンプＡＭＰ１に入力され、アンプＡＭＰ１によって増幅された後、ＦＶ回路８３を介してＬＤ基準電圧Ｖｃｏｎｔ以上の出力電圧Ｖｏｕｔとして出力される。これにより、ＢＤ信号が出力されている間は、ＬＤ基準電圧Ｖｃｏｎｔ以上の出力電圧Ｖｏｕｔが出力されることになる。
【００２９】
回転指示信号がLowレベルからにHiレベル反転し、ポリゴンミラー１４の回転が停止されると、ＢＤセンサー２０によってレーザー光が受光されなくなり、ＢＤ信号の出力も停止される。これにより、ＦＶ回路８３に電力が供給されなくなるため、出力電圧ＶｏｕｔがＬＤ基準電圧Ｖｃｏｎｔ未満に低下し、光源１１からのレーザー光の射出が停止される。
【００３０】
このように、回転指示信号から生成されるワンショットパルス信号に基づいて、ＬＤ駆動回路７１の動作電力が生成され、光源１１からレーザー光が射出される。そして、光源１１からレーザー光が射出されることで、ＢＤ信号の出力も開始される。換言すると、ＬＤ基準電圧生成回路８０は、回転指示信号から生成されるワンショットパルス信号に基づいて、ＢＤ信号の出力が開始、すなわちＢＤセンサー２０によってレーザー光が受光されるまでに必要な動作電力を生成し、レーザー光生成部７０に供給するように構成されている。すなわち、ＬＤ基準電圧生成回路８０において、ＢＤ信号の出力が開始されるまでに必要な動作電力が生成されるように、ワンショット回路８１によって生成されるワンショットパルス信号のパルス幅Ｔ１やアンプＡＭＰ１の増幅率が適宜設定されている。
【００３１】
ＢＤ信号の出力が開始されると、ＢＤ信号から生成されるＢＤ拡幅信号に基づいて、ＢＤ信号が出力されている間は、ＬＤ駆動回路７１の動作電力が継続して生成される。換言すると、ＬＤ基準電圧生成回路８０は、ＢＤ信号における１回のパルス（拡幅されたパルス）に基づいて、次のＢＤ信号の出力、すなわち次にＢＤセンサー２０によってレーザー光が受光されるまでに必要な動作電力を生成し、レーザー光生成部７０に供給するように構成されている。すなわち、ＬＤ基準電圧生成回路８０において、次のＢＤ信号の出力までに必要な動作電力が生成されるように、パルス幅拡幅回路８２によって生成されるＢＤ拡幅信号のパルス幅Ｔ２やアンプＡＭＰ１の増幅率が適宜設定されている。
【００３２】
なお、本実施の形態では、回転指示信号から生成されるワンショットパルス信号に基づいて、ＢＤ信号の出力が開始されるまでに必要な動作電力を生成するように構成したが、このワンショットパルス信号に基づいてオンされるスイッチを設け、このスイッチがオンされている間のみ、複写機１に設けられた電源回路からレーザー光生成部７０に電力を供給するように構成しても良い。
【００３３】
また、ポリゴンミラー１４の回転が継続されている間は、オア回路ＯＲ１の出力が常にHiレベルなるように、ワンショットパルス信号のパルス幅Ｔ１とＢＤ拡幅信号のパルス幅Ｔ２とを設定すると、アンプＡＭＰ１の出力が一定になる。この場合には、ＦＶ回路８３を用いることなく、アンプＡＭＰ１の出力を出力電圧Ｖｏｕｔとしてレーザー光生成部７０に直接出力することができる。
【００３４】
以上説明したように、本実施の形態は、光源１１を出射したレーザー光を回転駆動しているポリゴンミラー１４に反射させ、ポリゴンミラー１４で反射させたレーザー光を感光体ドラム４１の主走査方向に走査させることによって感光体ドラム４１上に静電潜像を形成する複写機１であって、光源１１を駆動するＬＤ駆動回路７１を有するレーザー光生成部７０と、ポリゴンミラー１４で反射させたレーザー光を主走査方向の始端側で受光して主走査同期信号であるＢＤ信号を出力するレーザー光受光手段として機能するＢＤセンサー２０と、ＬＤ駆動回路７１に動作電力を供給するＬＤ基準電圧生成回路８０とを具備し、ＬＤ基準電圧生成回路８０は、ＢＤ信号に基づいてＬＤ駆動回路７１の動作電力を生成し、ＢＤ信号の出力が停止されると、ＬＤ駆動回路７１への動作電力の生成を停止させるように構成されている。
この構成により、光源１１を駆動するＬＤ駆動回路７１の動作電力が、ポリゴンミラー１４の回転に伴って出力されるＢＤ信号に基づいて生成されるため、ポリゴンミラー１４の回転が停止されると、光源１１を駆動も確実に停止され、レーザー光による感光体ドラム４１へのダメージやレーザー光の暴露を確実に防止することができる。
【００３５】
さらに、本実施の形態によれば、ＬＤ基準電圧生成回路８０は、ポリゴンミラー１４の回転駆動を指示する回転指示信号に基づいて、ＢＤ信号が出力されるまでのＬＤ駆動回路７１の動作電力を生成し、ＢＤ信号が出力された後に、ＢＤ信号に基づいてＬＤ駆動回路７１の動作電力を生成するように構成されている。
【００３６】
さらに、本実施の形態によれば、ＬＤ基準電圧生成回路８０は、ポリゴンミラー１４の回転駆動を指示する回転指示信号に基づいてワンショットパルス信号を生成するワンショット回路８１を備え、ワンショットパルス信号によってＬＤ駆動回路７１の動作電力を生成するように構成されている。
【００３７】
さらに、本実施の形態によれば、ＬＤ基準電圧生成回路８０は、ＢＤ信号のパルス幅を拡幅するパルス幅拡幅回路８２を備え、パルス幅を拡幅したＢＤ拡幅信号によってＬＤ駆動回路７１の動作電力を生成するように構成されている。
【００３８】
なお、本実施の形態では、本発明に係る画像形成装置の例として、複写機１を示したが、本発明に係る画像形成装置はこれに限定されるものではなく、光走査装置１０を備えた機器、例えば、ファクシミリ装置、プリンター、複合機（コピー、ファクシミリ装置、プリンター等の機能を兼ね備えた画像形成装置）等であっても良い。
【００３９】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【符号の説明】
【００４０】
１  複写機
２  原稿読取部
３  原稿給送部
４  本体部
６  排紙空間
１０  光走査装置
１１  光源
１２、１３  レンズ部
１４  ポリゴンミラー
１５、１６  ｆθレンズ
１７  防塵ガラス
１８  反射鏡
１９  集光レンズ
２０  ＢＤセンサー
２１  スキャナ
２２  プラテンガラス
２３  原稿読取スリット
３１  原稿載置部
３２  原稿排出部
３３  原稿搬送機構
４１  感光体ドラム
４２  帯電器
４３  現像装置
４４  転写ローラー
４５  クリーニング装置
４６  搬送路
４７  給紙カセット
４８  ピックアップローラー
４９  レジストローラー対
５０  定着装置
５１  搬送ローラー対
５２  排出ローラー対
６１  排出トレイ
７０  レーザー光生成部
７１  ＬＤ駆動回路
７２  ポリゴンモーター
７３  ポリゴンモーター制御回路
７４  制御部
８０  ＬＤ基準電圧生成回路
８１  ワンショット回路
８２  パルス幅拡幅回路
８３  ＦＶ回路
ＯＲ１  オア回路
ＡＭＰ１  アンプ
Ｒ１、Ｒ２  抵抗
Ｃ１  コンデンサ
【図１】
0006256318.tif 000002
【図２】
0006256318.tif 000003
【図３】
0006256318.tif 000004
【図４】
0006256318.tif 000005
【図５】
0006256318.tif 000006